Podtech/llm-jp-corpus-v4-ja_patent huggingface dataset:
【手続補正書】
【提出日】平成23年5月16日(2011.5.16)
【手続補正１】
【補正対象書類名】明細書
【補正対象項目名】００４０
【補正方法】変更
【補正の内容】
【００４０】
【表１】
2010528043.tif 000001
［本発明の態様］
１．トランス−１，３，３，３−テトラフルオロプロペンを含む組成物を製造するための方法であって：
（ａ）１，１，１，３，３−ペンタフルオロプロパン（ＨＦＣ−２４５ｆａ）をシス−ＨＦＯ−１２３４ｚｅ及びトランス−ＨＦＯ−１２３４ｚｅを含む反応生成物へと転化し；そして、
（ｂ）前記転化工程（ａ）からの前記反応生成物の少なくとも一部を、前記反応生成物中の前記シス−１，３，３，３−テトラフルオロプロペンをトランス−１，３，３，３−テトラフルオロプロペンへと転化するのに有効な触媒反応条件へと導入することを含み、前記条件が、前記シス−１，３，３，３−テトラフルオロプロペン（前記供給物、すなわち、前記転化工程（ａ）からの前記反応生成物の少なくとも一部）を、ハロゲン化された金属酸化物、ルイス酸金属のハロゲン化物、ゼロ価の金属、及びこれらの組合せからなる群から選択される、金属を基材とする触媒に曝露することを含む、前記製造方法。
２．前記ハロゲン化された金属酸化物の金属成分が、（１）約２１〜約５７の原子番号を有する遷移金属、（２）約１３〜約８１の原子番号を有する第ＩＩＩＡ族の金属、（３）約５１〜約８３の原子番号を有する第ＶＡ族の金属、（４）セリウムなどの希土類金属、（５）約３〜約３７の原子番号を有する第ＩＡ族のアルカリ金属、（６）約１２〜約５６の原子番号を有する第ＩＩＡ族のアルカリ土類金属、及び（７）これらの二種又はそれより多い組合せ、からなる群から選択される、１記載の製造方法。
３．前記ルイス酸金属のハロゲン化物の金属成分が、（１）約２１〜約５７の原子番号を有する遷移金属、（２）約１３〜約８１の原子番号を有する第ＩＩＩＡ族の金属、（３）約５１〜約８３の原子番号を有する第ＶＡ族の金属、（４）セリウムなどの希土類金属、（５）約３〜約３７の原子番号を有する第ＩＡ族のアルカリ金属、（６）約１２〜約５６の原子番号を有する第ＩＩＡ族のアルカリ土類金属、及び（７）これらの二種又はそれより多い組合せ、からなる群から選択される、１記載の製造方法。
４．前記触媒が第ＶＩＩＩ族又は第ＩＢ族の金属を含み、前記金属がその酸化状態がゼロである形態である、１記載の製造方法。
５．前記工程（ｂ）における前記反応条件が、少なくとも約５％のシス−形態を転化し、かつ少なくとも約７０％のトランス−形態への選択率を達成するのに有効である、１記載の製造方法。
６．工程（ｂ）にしたがって導入された前記組成物が、少なくとも５重量％のシス−形態を含む、１記載の製造方法。
７．前記転化工程（ａ）が、少なくとも約７０％のＨＦＣ−２４５を転化するのに有効な条件下で実施され、前記導入工程（ｂ）が、少なくとも約７０％のシス−ＨＦＯ−１２３４ｚｅをトランス−ＨＦＯ−１２３４ｚｅへと転化するのに有効な条件下で実施される、１記載の製造方法。
８．工程（ｂ）における前記反応条件が、少なくとも約９５％のシス−形態を転化し、かつ少なくとも約９８％のトランス−形態への選択率を達成するのに有効である、７記載の製造方法。
９．前記転化工程（ａ）が、前記ＨＦＣ−２４５ｆａを、水酸化カリウム（ＫＯＨ）、水酸化ナトリウム（ＮａＯＨ）、Ｃａ（ＯＨ）２、ＣａＯ、及びこれらの組合せからなる群から選択される少なくとも一種の物質と、液相において反応させることを含む、１記載の製造方法。
１０．前記転化工程（ａ）が、約２０℃〜約１００℃の温度で実施される、９記載の製造方法。
１１．前記転化工程（ａ）が、約３０℃〜約９０℃の温度で実施される、９記載の製造方法。
１２．前記ハロゲン化された金属酸化物の金属成分が、（１）約２１〜約５７の原子番号を有する遷移金属、（２）約１３〜約８１の原子番号を有する第ＩＩＩＡ族の金属、（３）約５１〜約８３の原子番号を有する第ＶＡ族の金属、（４）セリウムなどの希土類金属、（５）約３〜約３７の原子番号を有する第ＩＡ族のアルカリ金属、（６）約１２〜約５６の原子番号を有する第ＩＩＡ族のアルカリ土類金属、及び（７）これらの二種又はそれより多い組合せ、からなる群から選択される、１１記載の製造方法。
１３．前記触媒が第ＶＩＩＩ族又は第ＩＢ族の金属を含み、前記金属がその酸化状態がゼロである形態である、１１記載の製造方法。
【手続補正２】
【補正対象書類名】特許請求の範囲
【補正対象項目名】全文
【補正方法】変更
【補正の内容】
【特許請求の範囲】
【請求項１】
トランス−１，３，３，３−テトラフルオロプロペンを含む組成物を製造するための方法であって：
（ａ）１，１，１，３，３−ペンタフルオロプロパン（ＨＦＣ−２４５ｆａ）をシス−ＨＦＯ−１２３４ｚｅ及びトランス−ＨＦＯ−１２３４ｚｅを含む反応生成物へと転化し；
（ｂ）前記転化工程（ａ）からの前記反応生成物の少なくとも一部を、前記反応生成物中の前記シス−１，３，３，３−テトラフルオロプロペンをトランス−１，３，３，３−テトラフルオロプロペンへと転化するのに有効な触媒反応条件へと導入することを含み、前記条件が、前記供給物を、ハロゲン化された金属酸化物、ルイス酸金属のハロゲン化物、ゼロ価の金属、及びこれらの組合せからなる群から選択される、金属を基材とする触媒に曝露することを含む、前記製造方法。
【請求項２】
前記ハロゲン化された金属酸化物及び前記ルイス酸金属のハロゲン化物の金属成分が、（１）約２１〜約５７の原子番号を有する遷移金属、（２）約１３〜約８１の原子番号を有する第ＩＩＩＡ族の金属、（３）約５１〜約８３の原子番号を有する第ＶＡ族の金属、（４）セリウムなどの希土類金属、（５）約３〜約３７の原子番号を有する第ＩＡ族のアルカリ金属、（６）約１２〜約５６の原子番号を有する第ＩＩＡ族のアルカリ土類金属、及び（７）これらの二種又はそれより多い組合せ、からなる群から選択される、請求項１記載の製造方法。
【請求項３】
前記転化工程（ａ）が、前記ＨＦＣ−２４５ｆａを、水酸化カリウム（ＫＯＨ）、水酸化ナトリウム（ＮａＯＨ）、Ｃａ（ＯＨ）２、ＣａＯ、及びこれらの組合せからなる群から選択される少なくとも一種の物質と、液相において、約３０℃〜約９０℃の温度で反応させることを含む、請求項１記載の製造方法。
【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
下記式：
β−シクロデキストリン−[O-CH2CH(OH)CH3]n
[ 式中、ｎは、１以上の整数である]で表される置換されたシクロデキストリン；
腎毒性抗癌薬物、抗ウィルス薬物又は造影剤；及び
医薬的に許容できるキャリヤーを含んで成る、前記薬物：シクロデキストリンのモル比が1.1：１〜50：１である、医薬組成物。
【請求項２】
前記薬物：シクロデキストリンのモル比が、少なくとも約２：１である、請求項１記載の組成物。
【請求項３】
前記抗癌薬物が、シスプラチン；シクロホスファミド；ブスルファン；ドキソルビシン又はメトトレキセート、又はその誘導体又は医薬的に許容できる塩から選択される、請求項１又は２に記載の組成物。
【請求項４】
前記抗癌薬物がメトトレキセートである、請求項３記載の組成物。
【請求項５】
前記抗癌薬物がシスプラチンである、請求項３記載の組成物。
【請求項６】
前記腎毒性造影剤が、イオヘキソール、イオベルソール、ジアトリゾエートメグルミン及びイオキサグラートから選択される、請求項１〜５のいずれか１項に記載の組成物。
【請求項７】
前記造影剤がイオヘキソールである、請求項６記載の組成物。
【請求項８】
前記抗ウィルス剤が、アシクロビル及びインジナビルから選択される、請求項１又は２に記載の組成物。
【請求項９】
前記抗ウィルス剤がアシクロビルである、請求項８記載の組成物。
【請求項１０】
多発性硬化症に関連する徴候の処理の必要な患者における多発性硬化症に関連する徴候を処理するための薬剤の製造への治療的有効量の請求項４記載の組成物の使用。
【請求項１１】
自己免疫障害の処理の必要な患者における自己免疫障害を処理するための薬剤の製造への治療的有効量の請求項４記載の組成物の使用。
【請求項１２】
癌の処理の必要な患者における癌を処理するための薬剤の製造への治療的有効量の請求項３〜９のいずれか１項に記載の組成物の使用。
【請求項１３】
癌の増殖を阻害する必要な患者における癌の増殖を阻害するための薬剤の製造への治療的有効量の請求項３〜９のいずれか１項に記載の組成物の使用。
【請求項１４】
下記式：
シクロデキストリン−[(O-R-Y)-(Me)+]n
[ 式中、Rは、メチル、エチル、プロピル及びブチルから選択された、直鎖又は枝分れ鎖のC1-4アルキルであり；YはSO3であり；そしてMeは医薬的に許容できるカチオンであり；そして
ｎは、１以上の整数である]で表される置換されたシクロデキストリン；
腎毒性抗ウィルス薬物又は腎毒性造影剤；及び
医薬的に許容できるキャリヤーを含んで成る、前記薬物：シクロデキストリンのモル比が1.1：１〜50：１である、医薬組成物。
【請求項１５】
前記シクロデキストリンがβ−シクロデキストリンであり、Rが直鎖のブチルであり、Meがナトリウムであり、そしてｎが約７である、請求項14に記載の組成物。
【請求項１６】
前記薬物：シクロデキストリンのモル比が、少なくとも約２：１である、請求項14又は15に記載の組成物。
【請求項１７】
前記腎毒性造影剤が、イオヘキソール、イオベルソール、ジアトリゾエートメグルミン及びイオキサグラートから選択される、請求項14〜16のいずれか１項に記載の組成物。
【請求項１８】
前記造影剤がイオヘキソールである、請求項17に記載の組成物。
【請求項１９】
前記抗ウィルス剤が、アシクロビル及びインジナビルから選択される、請求項14〜16のいずれか１項に記載の組成物。
【請求項２０】
前記抗ウィルス剤がアシクロビルである、請求項19に記載の組成物。
【請求項２１】
ｘ−線画像診断の必要な患者におけるｘ−線画像診断のための放射線写真撮影用造影剤の製造への治療的有効量の請求項６、７、14、15又は18に記載の組成物の使用。
【請求項２２】
ｘ−線画像診断の必要な患者におけるｘ−線画像診断のための放射線写真撮影用造影剤の製造への治療的有効量の請求項17に記載の組成物の使用。
【請求項２３】
ウィルス感染の処理の必要な患者におけるウィルス感染を処理するための薬剤の製造への治療的有効量の請求項８、９又は20に記載の組成物の使用。
【請求項２４】
ウィルス感染の処理の必要な患者におけるウィルス感染を処理するための薬剤の製造への治療的有効量の請求項19に記載の組成物の使用。
【請求項２５】
腎毒性誘発抗ウィルス薬物又は造影剤の投与に関連する腎毒性を阻害するための第１医薬組成物の製造への置換されたシクロデキストリンの使用であって、腎毒性を低めるための効果的な量での前記第１医薬組成物が、治療的有効量の腎毒性誘発抗ウィル薬物又はヨウ素化された造影剤を含んで成る第２医薬組成物の投与の約１時間前、同時に、及び約１時間後のいずれかから選択されたいずれかの時間で投与されるべきであることを特徴とする、使用。
【請求項２６】
前記置換されたシクロデキストリンが、スルホブチルエーテルシクロデキストリン又は２−ヒドロキシプロピルシクロデキストリンから選択される、請求項25に記載の組成物の使用。
【請求項２７】
前記造影剤がイオヘキソールである、請求項25又は26に記載の組成物の使用。
【請求項２８】
腎毒性抗癌薬物の投与に関連する腎毒性を阻害するための第１医薬組成物の製造への置換されたシクロデキストリンの使用であって、腎毒性を低めるための効果的な量での前記第１医薬組成物が、治療的有効量の腎毒性抗癌薬物を含んで成る第２医薬組成物の投与の約１時間前、同時に、及び約１時間後のいずれかから選択されたいずれかの時間で投与されるべきであり、ここで前記シクロデキストリンがスルホブチルエーテルシクロデキストリン又は２−ヒドロキシプロピルシクロデキストリンから選択されることを特徴とする、使用。
【請求項２９】
前記腎毒性抗癌薬物が、シスプラチン、シクロホスファミド、ブスルファン、ドキソルビシン又はメトトレキセートから選択される、請求項28に記載の使用。
【請求項３０】
前記シクロデキスオリンが、前記薬物又は剤の腎毒性効果を実質的に阻害するために有効な量で存在する、請求項１又は14に記載の組成物。
【手続補正書】
【提出日】平成23年6月3日(2011.6.3)
【手続補正１】
【補正対象書類名】明細書
【補正対象項目名】００５４
【補正方法】変更
【補正の内容】
【００５４】
本発明の以下の細菌株は、ブダペスト条約に従い、２００８年５月３０日にCECT -Coleccion Espanola de Cultivos Tipo-, Valencia (Spain)に寄託された。
・ラクトバチルス・サリバリウスＣＥＬＡ２００（ＣＥＣＴ受託番号７４０９）
・エンテロコッカス・ヒラエＥＨＧ１１（ＣＥＣＴ受託番号７４１０）
・エンテロコッカス・フェカリスＥＦＧ１（ＣＥＣＴ受託番号７４１１）
・ラクトバチルス・プランタルムＬＧ１４（ＣＥＣＴ受託番号７４１２）
・ラクトバチルス・ロイテリＰＤＡ３（ＣＥＣＴ受託番号７４１３）
【手続補正２】
【補正対象書類名】特許請求の範囲
【補正対象項目名】全文
【補正方法】変更
【補正の内容】
【特許請求の範囲】
【請求項１】
（ｉ）乳酸培養培地での選択により、哺乳類種の新鮮乳汁中に存在する乳酸菌またはビフィズス菌株を単離する工程；
（ｉｉ）経口摂取後に乳腺に移行することができ、かつ／またはその局所適用後に乳腺に定着することができる、工程（ｉ）からの株を選択する工程；
（ｉｉｉ）黄色ブドウ球菌の生存率および／または黄色ブドウ球菌の上皮細胞への接着率を軽減することができる工程（ｉｉ）からの株を選択する工程；および
（ｉｖ）乳腺炎から動物を保護することができる工程（ｉｉｉ）からの株を選択する工程
を含んでなる、プロバイオティクスを選択する方法。
【請求項２】
工程（ｉ）で用いられる乳汁が、ヒト、ブタ、ウシ、ネコ、ヒツジおよびイヌ乳汁から選択される、請求項１に記載の方法。
【請求項３】
請求項１または２に記載の方法によって得ることができる、プロバイオティック株。
【請求項４】
受託番号７２６３としてＣＥＣＴに寄託されているビフィドバクテリウム・ブレーベ(Bifidobacterium breve)、受託番号７２６４としてＣＥＣＴに寄託されているビフィドバクテリウム・ブレーベ、受託番号７２６０としてＣＥＣＴに寄託されているラクトバチルス・ロイテリ(Lactobacillus reuteri)、受託番号７２６２としてＣＥＣＴに寄託されているラクトバチルス・プランタルム(Lactobacillus plantarum)、受託番号７２６５としてＣＥＣＴに寄託されているラクトバチルス・ファーメンタム(Lactobacillus fermentum)、受託番号７２６６としてＣＥＣＴに寄託されているラクトバチルス・ロイテリ、受託番号７４０９としてＣＥＣＴに寄託されているラクトバチルス・サリバリウス(Lactobacillus salivarius)ＣＥＬＡ２００、受託番号７４１０としてＣＥＣＴに寄託されているエンテロコッカス・ヒラエ(Enterococcus hirae)ＥＨＧ１１、受託番号７４１１としてＣＥＣＴに寄託されているエンテロコッカス・フェカリス(Enterococcus faecalis)ＥＦＧ１、受託番号７４１２としてＣＥＣＴに寄託されているラクトバチルス・プランタルムＬＧ１４、受託番号７４１３としてＣＥＣＴに寄託されているラクトバチルス・ロイテリＰＤＡ３の群から選択される、請求項３に記載のプロバイオティック株。
【請求項５】
請求項３または４に記載の株または株混合物の培養物の、上清。
【請求項６】
薬剤として用いるための、請求項３もしくは４に記載のプロバイオティック株、請求項３もしくは４に記載のプロバイオティック株の混合物、または請求項５に記載の上清。
【請求項７】
請求項３もしくは４に記載のプロバイオティック株または請求項５に記載の上清を少なくとも含んでなる、組成物、医薬品、飼料または栄養製品。
【請求項８】
冷凍、凍結乾燥または乾燥形態である、請求項７に記載の組成物、医薬品、飼料または栄養製品。
【請求項９】
プロバイオティック株またはその混合物が部分的または完全に不活性化された形態である、請求項７または８に記載の組成物、医薬品、飼料または栄養製品。
【請求項１０】
それを必要とする被験体または動物における、慢性もしくは急性の感染もしくは外寄生、または望ましくない微生物定着（この感染、外寄生または定着は、いずれかの体表または粘膜を侵す寄生虫、細菌、酵母、真菌またはウイルスにより引き起こされる）の治療および／または予防を目的とした薬剤の製造のための、請求項３もしくは４に記載のプロバイオティック株またはその混合物、または請求項５に記載の上清の使用。
【請求項１１】
感染が乳腺炎であり、プロバイオティック株が工程（ｉ）において処置を意図するものと同じ種からの乳汁を用いて選択されたものである、請求項１０に記載の使用。
【請求項１２】
感染が新生児の下痢である、請求項１０に記載の使用。
【請求項１３】
それを必要とする被験体または動物における、食物に対する過敏感反応および代謝不耐症；便秘およびその他の胃腸障害；ＩＢＤ、潰瘍性大腸炎、関節炎、アテローム性動脈硬化症、多発性硬化症、乾癬またはサルコイドーシスからなる群から選択される炎症性または自己免疫性障害；ならびに腫瘍の増殖、転移および癌の治療および／または予防を目的とした薬剤の製造のための、請求項３もしくは４に記載のプロバイオティック株またはその混合物、または請求項５に記載の上清の使用。
【請求項１４】
それを必要とする被験体または動物における、アレルギー性障害および喘息の治療および／または予防を目的とした薬剤の製造のための、請求項３もしくは４に記載のプロバイオティック株またはその混合物、または請求項５に記載の上清の使用。
【請求項１５】
生理学的および管理性ストレスを受けた個人または動物における、一時的に抑圧された免疫レベルの治療および／または予防を目的とした薬剤の製造のための、請求項３もしくは４に記載のプロバイオティック株またはその混合物、または請求項５に記載の上清の使用。
【請求項１６】
株または組成物が、経口、局所、鼻腔、腸内、眼内、尿生殖器、直腸または膣を介して投与される、請求項１０〜１５のいずれか一項に記載の使用。
【請求項１７】
株、組成物、医薬品、飼料または栄養製品が、胎児および／または母乳で育てられる乳児または子の治療的または予防的処置を目的として授乳中の女性または動物に投与するために設計されたものである、請求項１０〜１５のいずれか一項に記載の使用。
【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
トラスツズマブとビンフルニンとを含んでなる、哺乳類における新生物の治療用組み合わせ製剤。
【請求項２】
前記新生物が、HER2の過剰発現または増幅と関連している、請求項1に記載の組み合わせ製剤。
【請求項３】
前記新生物が、気管支肺胞癌および非小細胞肺癌を含む肺癌、乳癌、骨髄腫、前立腺癌、頭部および頸部癌、または移行上皮癌、子宮頸部における小細胞および大細胞の神経内分泌癌からなる群から選択される、請求項1または2に記載の組み合わせ製剤。
【請求項４】
前記新生物が乳癌である、請求項1〜3のいずれか一項に記載の組み合わせ製剤。
【請求項５】
前記新生物が転移性乳癌である、請求項4に記載の組み合わせ製剤。
【請求項６】
前記新生物が癌である、請求項１に記載の組み合わせ製剤。
【請求項７】
ビンフルニンおよび/またはトラスツズマブを静脈内投与する、請求項１に記載の組み合わせ製剤。
【請求項８】
トラスツズマブ週1回投与する、請求項１に記載の組み合わせ製剤。
【請求項９】
ビンフルニンを3週間に1回ずつ投与する、請求項１に記載の組み合わせ製剤。
【請求項１０】
トラスツズマブを3週間にわたって週1回投与する、請求項８に記載の組み合わせ製剤。
【請求項１１】
トラスツズマブを6〜54週間、好ましくは24週間にわたって週1回投与する、請求項８に記載の組み合わせ製剤。
【請求項１２】
ビンフルニンを6〜54週間、好ましくは24週間にわたって3週間に1回ずつ投与する、請求項９に記載の組み合わせ製剤。
【請求項１３】
ビンフルニンを24週間にわたって投与する、請求項９に記載の組み合わせ製剤。
【請求項１４】
ビンフルニンの投薬量が3週間に1回320 mg/m2である、請求項１〜１３のいずれか一項に記載の組み合わせ製剤。
【請求項１５】
トラスツズマブの投薬量が2 mg/kg/週である、請求項１〜１４のいずれか一項に記載の組み合わせ製剤。
【請求項１６】
ビンフルニンおよびトラスツズマブが、  哺乳類への同時、個別または逐次投与に用いられる、請求項１〜１５のいずれか一項に記載の組み合わせ製剤。
【請求項１７】
1個体哺乳類における新生物治療用の医薬パックであって、 (a)少なくとも1単位のビンフルニンと、(b)少なくとも1単位のトラスツズマブとを単位投薬形態中に含む、パック。
【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
下記の式で表される化合物：
【化１】
2010528033.tif 000001
(式中、Aは、0、1、2または3個の置換基を有する単環式ヘテロアリールであり；
Bは、下記：
a. 分子の残余部分に結合しているフェニル環；
b. 前記フェニル環に縮合させた第２の複素環式５員または６員環；および、
c. 前記フェニル環および前記第２の環の一方または双方に結合している0、1、2または3個の置換基；
からなる縮合環系であり；
各置換基は、個々に、0〜8個の炭素原子、0〜3個の酸素原子、0〜3個のハロゲン原子、0〜2個の窒素原子、0〜2個のイオウ原子および0〜24個の水素原子からなる)。
【請求項２】
Aが、ピリジニル、チエニル、フリルまたはピロリルである、請求項１記載の化合物。
【請求項３】
Bが、キノリニル、インドリル、ベンゾチエニル、ベンゾフリル、ベンゾフラニル、ベンゾジオキソリル、または2,3‐ジヒドロベンゾ[b][1,4]ジオキシン‐6‐イルである、請求項２記載の化合物。
【請求項４】
各置換基が、個々に、‐H、1〜8個の炭素原子を有するアルキル、‐F、‐Cl、‐Br、‐CH2OH、0〜8個の炭素原子を有するアミン、‐CH2CN、‐CF3または1〜8個の炭素を有するアシルである、請求項３記載の化合物。
【請求項５】
Aが、ピリジニルである、請求項４記載の化合物。
【請求項６】
Bが、キノリニルである、請求項５記載の化合物。
【請求項７】
Bの各置換基が、‐H、‐F、‐Cl、‐Br、‐CH3、‐NHCH3または‐CF3である、請求項６記載の化合物。
【請求項８】
下記の式で表される、請求項７記載の化合物。
【化２】
2010528033.tif 000002
【請求項９】
下記の式で表される、請求項７記載の化合物。
【化３】
2010528033.tif 000003
【請求項１０】
下記の式で表される、請求項７記載の化合物。
【化４】
2010528033.tif 000004
【請求項１１】
下記の式で表される、請求項７記載の化合物。
【化５】
2010528033.tif 000005
【請求項１２】
下記の式で表される、請求項７記載の化合物。
【化６】
2010528033.tif 000006
【請求項１３】
請求項１〜１２のいずれか１項記載の化合物の、必要とする哺乳類の疼痛治療用の医薬品の製造における使用。
【請求項１４】
前記疼痛が、慢性疼痛である、請求項１３記載の使用。
【請求項１５】
前記疼痛が、慢性神経障害性疼痛または内臓痛である、請求項１４記載の使用。
【請求項１６】
請求項１〜１２のいずれか１項記載の化合物を含む投与剤形。
【手続補正書】
【提出日】平成23年5月18日(2011.5.18)
【手続補正１】
【補正対象書類名】特許請求の範囲
【補正対象項目名】全文
【補正方法】変更
【補正の内容】
【特許請求の範囲】
【請求項１】
式
【化１】
2010528038.tif 000001
を有する化合物、又はその医薬的に許容可能な塩、水和物又はＮ−酸化物。
【請求項２】
請求項１の化合物とともに、医薬的に許容可能な賦形剤又は担体を含んでなる、医薬組成物。
【請求項３】
請求項１の化合物を調製する方法であって、
（ａ）式
【化２】
2010528038.tif 000002
を有する化合物を、イミダゾール形成試薬と、請求項１の化合物を形成するのに十分な条件下で接触させるステップ、
を含んでなる方法。
【請求項４】
前記イミダゾール形成試薬が、グリオキサール又はグリオキサール及び同等物からなる群から選択される、請求項３に記載の方法。
【請求項５】
前記イミダゾール形成試薬がグリオキサールであるとともに、前記接触は酢酸アンモニウムの存在下で行われる、請求項３に記載の方法。
【請求項６】
請求項１の化合物を調製する方法であって、
（ａ）式
【化３】
2010528038.tif 000003
を有する化合物を、エチレンジアミンと接触させ、イミダゾリン物質を形成させるステップ、；及び
（ｂ）イミダゾリン物質を酸化し、請求項１の化合物を形成させるステップ、
を含んでなる方法。
【請求項７】
前記酸化を、ＫＭｎＯ4、ＭｎＯ2、ＰｈＩ（ＯＡｃ）2、Ｓｗｅｒｎ試薬及びＤｅｓｓ−Ｍａｒｔｉｎペルヨージナンからなる群から選択される試薬で実施する、請求項６に記載の方法。
【請求項８】
請求項１の化合物の治療有効量、及び医薬的に許容可能な賦形剤又は担体を含んでなる、ＣＣＲ１−介在型疾患又は症状の治療用医薬組成物。
【請求項９】
前記ＣＣＲ−１介在型疾患又は症状が炎症症状である、請求項８に記載の医薬組成物。
【請求項１０】
前記ＣＣＲ−１介在型疾患又は症状が免疫調節性疾患である、請求項８に記載の医薬組成物。
【請求項１１】
前記ＣＣＲ−１介在型疾患又は症状が、リウマチ様関節炎、多発性硬化症、移植拒絶、再狭窄、皮膚炎、湿疹、じんま疹、脈管炎、炎症性腸疾患、食物アレルギー、喘息、アルツハイマー病、パーキンソン病、乾癬、紅斑性狼瘡、変形性関節炎、脳卒中、再狭窄及び脳脊髄炎からなる群から選択される、請求項８に記載の医薬組成物。
【請求項１２】
経口、経直腸、経皮、経舌、経鼻で又は局所的に投与される、請求項８〜１１のいずれか１項に記載の医薬組成物。
【請求項１３】
抗炎症剤、鎮痛剤、抗増殖剤、代謝阻害剤、白血球遊走阻害剤、又は免疫調節剤との組み合わせで投与される、請求項８〜１２のいずれか１項に記載の医薬組成物。
【請求項１４】
前記化合物が
【化４】
2010528038.tif 000004
である、請求項８〜１３のいずれか１項に記載の医薬組成物。
【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
軟組織増強のための組成物であって、
架橋されたヒアルロン酸または架橋されていないヒアルロン酸の1つから成る粒子、および
生分解性ポリマー、非分解性ポリマー、タンパク質、多糖またはこれらの組合せを含む、前記粒子上の被覆
を含み、
被覆された粒子は、哺乳動物における皮下注入のために好適であり、
被覆は、水の存在下における粒子の膨潤を調節するのに有効な組成および／または厚さを有する組成物。
【請求項２】
ヒアルロン酸が、架橋されたヒアルロン酸を含む、請求項1に記載の組成物。
【請求項３】
被覆が、ポリ乳酸-コ-グリコール酸、アルブミンまたはアルギネートを含む、請求項1に記載の組成物。
【請求項４】
被覆された粒子がミクロスフェアの形状である、請求項1に記載の組成物。
【請求項５】
被覆された粒子は、平均して、直径が約100μm〜約500μmである、請求項1に記載の組成物。
【請求項６】
ヒアルロン酸粒子から成る組成物であって、
ヒアルロン酸粒子が、封入されたヒアルロン酸粒子を形成するように、ポリマー、タンパク質、多糖またはこれらの組合せに封入され、
封入されたヒアルロン酸粒子は通例球形であり、
封入ポリマー、タンパク質、多糖またはこれらの組合せは、水の存在下における粒子の膨潤を調節するのに有効な組成および／または厚さを有する組成物。
【請求項７】
哺乳動物における皮下注入のために好適である、請求項6に記載の組成物。
【請求項８】
ヒアルロン酸粒子が、水性環境におけるヒアルロン酸の持続放出を可能にするポリマー、タンパク質または多糖に封入される、請求項6に記載の組成物。
【請求項９】
ポリビニルアルコールと架橋された封入ヒアルロン酸被覆粒子のヒドロゲルを含む、請求項6に記載の組成物。
【請求項１０】
皮膚増強のための皮膚フィラーであって、
被覆された、ヒアルロン酸から成る粒子、および
水性環境における該ヒアルロン酸の分解速度を低下させる、前記粒子上の被覆
を含み、被覆はさらに、水の存在下における粒子の膨潤を調節するのに有効な組成および／または厚さを有する皮膚フィラー。
【請求項１１】
被覆されたヒアルロン酸粒子は、通例球状であり、平均して、直径が約100μm〜約500μmである、請求項10に記載の皮膚フィラー。
【請求項１２】
被覆されたヒアルロン酸粒子のヒアルロン酸が、架橋されたヒアルロン酸である、請求項11に記載の皮膚フィラー。
【手続補正書】
【提出日】平成23年3月25日(2011.3.25)
【手続補正１】
【補正対象書類名】明細書
【補正対象項目名】０００５
【補正方法】変更
【補正の内容】
【０００５】
もう1つの非常に一般的な殺虫剤−殺線虫剤であるアルジカルブ(2-メチル-2-(メチルチオ)-プロピオンアルデヒド-O-(メチルカルバモイル)オキシム)は、急性毒性があることが見出されている。アルジカルブは、アメリカ合衆国の数箇所の地域において地下水中に見出されている。2つの非常に一般的に用いられる殺線虫剤であるカルボフラン(2,3-ジヒドロ-2,2-ジメチル-7-ベンゾフラニルメチルカルバメート)および1,3-D(1,3-ジクロロプロペン)は、その鳥類毒性および発癌作用の可能性のため、EPAにより特別見直し中である。最近になって、農業目的のための、土壌燻蒸剤である臭化メチルの使用を制限し、最終的には中止するというEPAによる決議が、アメリカ合衆国における農業生産の効率および品質に脅威を提示している。
【誤訳訂正書】
【提出日】平成23年3月22日(2011.3.22)
【誤訳訂正１】
【訂正対象書類名】明細書
【訂正対象項目名】００２６
【訂正方法】変更
【訂正の内容】
【００２６】
実施例2:皮膚持上げ利益の評価
3週間に渡る制御された臨床研究を行い、本発明の皺取り用美容液を含む組成物の性能及び効能を評価した。特に、この3週間に渡る研究でテストした皺取り用美容液製剤は、以下の成分を含んだ(下記の全ての割合は組成物の全質量に基づく:
媒体:水
乳化剤:水素化レシチン、ナトリウムメチルステアロイルタウレート、グリセリン、スクアレン、ヒドロキシロピルメチルセルロースステアロキシエーテル、及び植物ソルビタンステアレートを含む組成物
皮膚調整剤:カフェイン;ジカリウムグリシルリゼート;パンテノール;エトキシジグリコール;プロリン;C12-15アルキルベンゾエート、ジプロピレングリコールジベンゾエート、PPG-15ステアリルエーテルベンゾエートを含む組成物;カプリル/カプリントリグリセリド;ジ-C12-15アルキルフマレート;セチルアルコール;ポリアクリレート13、ポリイソブテン、及びポリソルベート20を含む組成物;ポリジエチルシロキサン;シクロペンタシロキサン;HDI/トリメタノールヘキシルラクトンクロスポリマー及びシリカを含む組成物; ブチレングリコール;ナトリウムヒアルロネート;水、グリセリン、レシチン、セラミド3、及びβ-シトステロールを含む組成物;及び水、Rosmarinus officinalis葉抽出物、及びレシチンを含む組成物
フィルム形成剤:PVP及びヒドロキシプロピルキトサン
pH調整剤:アルギニン
湿潤剤:グリセリン
保存剤:ジナトリウムEDTA、クロルフェネシン粉末、及びメチルパラベン
引締め/皺取り剤:ジパルミトイルヒドロキシプロリン;パルミトイル加水分解小麦蛋白質;Polygonum fagopyrum種抽出物、カプリル/カプリントリグリセリド、及び水素化植物オイルを含む組成物;水、藻類抽出物、及びプルラン水を含む組成物;水、ジプロピレングリコール、及びSphacelaria scoparia抽出物を含む組成物;水及びChlorella vulgaris抽出物を含む組成物;Bambusa vulgaris抽出物、Pisum sativum抽出物、及びグルコサミンHCLを含む組成物;Evodia rutaecarpa果実抽出物及びブチレングリコールを含む組成物;水、グリセリン、及びジペプチドジアミノブチロイルベンジルアミドジアセテートを含む組成物;Citrus unshiu皮抽出物及びグリセリンを含む組成物;Centella asiatica抽出物と、Laminaria digitata抽出物と、水及びトウモロコシ抽出物を含む組成物とを含有する第一の真皮複合体;及び大豆(Glycine soya)蛋白質、加水分解米蛋白質、及びヒマワリ種抽出物を含む第二の真皮複合体
香料:カモミールトナー
【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
生物活性材料を含有する安定な乾燥フォーム組成物の製造方法であって、
生物活性材料とポリオール又はポリマーを溶媒中に含有する製剤を調製する段階と；
製剤を発泡させてフォームを形成する段階と；
フォームを凍結させる段階と；
凍結したフォームを０℃以下のフォーム温度で昇華により一次乾燥する段階と；
フォームの残留水分を１０％以下まで低下させるために十分な時間にわたって２５℃以下の温度の環境でフォームを二次乾燥する段階を含む前記方法。
【請求項２】
生物活性材料がウイルス又は細菌を含む、或いは、
生物活性材料がリステリア菌又はインフルエンザ株を含む請求項１に記載の方法。
【請求項３】
製剤をウイルス又は細菌の膜相転移温度から２℃以内に維持する段階を更に含む請求項２に記載の方法。
【請求項４】
フォームの厚みが２ｍｍ以下である、
二次乾燥温度がフォームのガラス転移温度未満に維持される、
一次乾燥又は二次乾燥が１００Ｔｏｒｒ以下の圧力の凍結乾燥を含む、或いは
フォームの残留水分を５％以下まで低下させるために十分な時間にわたってフォームが乾燥される請求項１に記載の方法。
【請求項５】
乾燥フォームを平均粒度約０．１ｕｍ〜約１００ｕｍの粉末まで粉砕する段階を更に含む、或いは、
フォームを再構成液又は粉砕粉末として哺乳動物に投与する段階を更に含む請求項１に記載の方法。
【請求項６】
生物活性材料を含有する安定な乾燥フォーム組成物の製造方法であって、
生物活性材料とポリオール又はポリマーを溶媒中に含有する製剤を調製する段階と；
製剤を発泡させてフォームを形成する段階と；
フォームを凍結させる段階と；
フォームが凍結する温度又はフォームのガラス転移温度未満に維持される温度で昇華によりフォームを一次乾燥する段階と；
フォームの残留水分を１０％以下まで低下させるために十分な時間にわたって２５℃以下の環境でフォームを二次乾燥する段階を含む前記方法。
【請求項７】
生物活性材料がウイルス又は細菌を含む、或いは、
生物活性材料がリステリア菌又はインフルエンザ株を含む請求項６に記載の方法。
【請求項８】
フォームの発泡前に製剤を生物活性材料の膜転移温度から２℃以内の温度に２分間以上維持する段階を更に含む請求項７に記載の方法。
【請求項９】
フォームの厚みが２ｍｍ以下である、或いは、
フォームの残留水分を５％以下まで低下させるために十分な時間にわたってフォームが乾燥される請求項６に記載の方法。
【請求項１０】
生物活性材料を含有する安定な乾燥フォーム組成物の製造用システムであって、
内部温度と内部圧力の制御機能を含む環境制御チャンバーと；
チャンバー内に配置され、生物活性材料とポリオール又はポリマーを溶媒中に含有するフォームを含み；
フォームが厚み２ｍｍ以下及び／又は縦横比１０以上であり；
フォームを２５℃以下の温度で２日間以内に残留水分１０％以下まで乾燥することができる前記システム。
【請求項１１】
生物活性材料がウイルス又は細菌を含む、或いは、
生物活性材料がリステリア菌又はインフルエンザ株を含む請求項１０に記載の方法。
【請求項１２】
フォームが厚み１ｍｍ以下又は縦横比１００以上である請求項１０に記載の方法。
【請求項１３】
残留水分１０％以下の乾燥フォームマトリックス中に細菌又はウイルスを含む乾燥フォーム組成物であって、
前記マトリックスがポリオール又はポリマーを含有しており、
前記乾燥フォームが生存率低下を０．５ｌｏｇ１０未満とした細菌又はウイルスの液体製剤から製造されている前記組成物。
【請求項１４】
乾燥フォームが凍結乾燥フォームである、
乾燥フォームが２５℃よりも高温に暴露されていない、或いは、
フォームの残留水分が５％以下である請求項１３に記載の組成物。
【請求項１５】
生物活性材料がリステリア菌又はインフルエンザ株を含む請求項１３に記載の組成物。
【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
被験体の血流の中への遺伝的に修飾されたＣＤ３４-幹細胞の治療上効果的な数の導入を含む、腫瘍に罹患した被験体を治療する方法であって、（ａ）遺伝的に修飾されたＣＤ３４-幹細胞の各々が（ｉ）細胞毒性タンパク質をコードする領域を含む外来性核酸を含み、その領域は（ｉｉ）プロモーターまたはプロモーター／エンハンサー組合せへ作動可能に連結され、それらによって遺伝的に修飾されたＣＤ３４-幹細胞が血管新生を受ける腫瘍組織の近傍の中に入る場合およびその近傍において分化する場合、細胞毒性タンパク質は選択的に発現される、および（ｂ）骨髄除去が遺伝的に修飾されたＣＤ３４-幹細胞の導入に先行しないか同時に起こらないかまたは後続しない、方法。
【請求項２】
前記被験体がヒトである、請求項１に記載の方法。
【請求項３】
前記腫瘍が、前立腺腫瘍、膵臓腫瘍、扁平上皮癌、乳房腫瘍、黒色腫、基底細胞癌、肝細胞癌、精巣癌、神経芽細胞腫、神経膠腫または多形性神経膠芽腫などの悪性星状細胞系腫瘍、大腸腫瘍、子宮内膜癌、肺癌、卵巣腫瘍、頚部腫瘤、骨肉腫、横紋肉腫／平滑筋肉腫、滑膜肉腫、血管肉腫、ユーイング肉腫／ＰＮＥＴおよび悪性リンパ腫からなる群から選択される、請求項２に記載の方法。
【請求項４】
前記腫瘍が膵臓腫瘍である、請求項３に記載の方法。
【請求項５】
前記腫瘍が乳房腫瘍である、請求項３に記載の方法。
【請求項６】
前記腫瘍が、血管が発達した腫瘍である、請求項２に記載の方法。
【請求項７】
前記腫瘍が原発腫瘍である、請求項２に記載の方法。
【請求項８】
前記腫瘍が転移性腫瘍である、請求項２に記載の方法。
【請求項９】
前記プロモーター／エンハンサー組合せがＴｉｅ２プロモーター／エンハンサーであり、前記細胞毒性タンパク質が単純ヘルペスウイルス性チミジンキナーゼであり、前記被験体が、単純ヘルペスウイルス性チミジンキナーゼがガンシクロビルを細胞毒性にするようにする様式でガンシクロビルにより治療される、請求項２に記載の方法。
【請求項１０】
前記の遺伝的に修飾されたＣＤ３４-幹細胞が、被験体に関して同種異系である、請求項２に記載の方法。
【請求項１１】
前記の遺伝的に修飾されたＣＤ３４-幹細胞が、被験体に関して自己である、請求項２に記載の方法。
【請求項１２】
前記の遺伝的に修飾されたＣＤ３４-幹細胞の治療上効果的な数が、約１×１０3〜約１×１０7細胞／ｋｇ体重である、請求項２に記載の方法。
【請求項１３】
前記の遺伝的に修飾されたＣＤ３４-幹細胞の治療上効果的な数が、約１×１０4〜約１×１０6細胞／ｋｇ体重である、請求項２に記載の方法。
【請求項１４】
前記の遺伝的に修飾されたＣＤ３４-幹細胞の治療上効果的な数が、約１×１０5細胞／ｋｇ体重である、請求項２に記載の方法。
【請求項１５】
前記の遺伝的に修飾されたＣＤ３４-幹細胞が単一注入により投与される、請求項２に記載の方法。
【請求項１６】
前記の遺伝的に修飾されたＣＤ３４-幹細胞が長期にわたる反復注入により投与される、請求項２に記載の方法。
【手続補正書】
【提出日】平成23年5月19日(2011.5.19)
【手続補正１】
【補正対象書類名】特許請求の範囲
【補正対象項目名】全文
【補正方法】変更
【補正の内容】
【特許請求の範囲】
【請求項１】
下記の式で表される化合物：
【化１】
2010528030.tif 000001
(式中、点線は、共有結合の存在または不存在を示し；
Yは、有機酸官能基、またはその14個までの炭素原子を含むアミドもしくはエステルであるか；或いは、Yは、ヒドロキシメチルまたはその14個までの炭素原子を含むエーテルであるか；或いは、Yは、テトラゾリル官能基であり；
Bは、‐CH(OH)‐、‐C(=O)‐、‐CH2CH(OH)‐または‐CH2C(=O)‐であり；そして、
Dは、アルキル、アリール、ヘテロアリール、アリールアルキルまたはヘテロアリールアルキルである)。
【請求項２】
Yが、CO2R2、CON(R2)2、CON(OR2)R2、CON(CH2CH2OH)2、CONH(CH2CH2OH)、CH2OH、P(O)(OH)2、CONHSO2R2、SO2N(R2)2、SO2NHR2、下記：
【化２】
2010528030.tif 000002
(式中、R2は、個々に、H、C1〜C6アルキル、非置換フェニルまたは非置換ビフェニルである)
ある、請求項１記載の化合物。
【請求項３】
Dが、アルキルである、請求項２記載の化合物。
【請求項４】
Bが、‐CH(OH)‐である、請求項３記載の化合物。
【請求項５】
下記の式で表される、請求項４記載の化合物。
【化３】
2010528030.tif 000003
【請求項６】
下記の式で表される、請求項４記載の化合物。
【化４】
2010528030.tif 000004
【請求項７】
下記の式で表される、請求項４記載の化合物。
【化５】
2010528030.tif 000005
【請求項８】
Bが、‐CH2CH(OH)‐である、請求項２記載の化合物。
【請求項９】
下記の式で表される、請求項７記載の化合物。
【化６】
2010528030.tif 000006
【請求項１０】
請求項１〜９のいずれか１項記載の化合物の、哺乳類の緑内障の治療用または眼圧の降下用医薬品の製造における使用。
【請求項１１】
請求項１〜９のいずれか１項記載の化合物含む組成物であって、局所眼科投与に適する液体である組成物。
【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
下記構造式：
【化１】
2010528026.tif 000001
で示される化合物である２,４−ジフルオロ−Ｎ−｛２−(メチルオキシ)−５−[４−(４−ピリダジニル)−６−キノリニル]−３−ピリジニル｝ベンゼンスルホンアミドまたはその医薬上許容される塩。
【請求項２】
請求項１記載の２,４−ジフルオロ−Ｎ−｛２−(メチルオキシ)−５−[４−(４−ピリダジニル)−６−キノリニル]−３−ピリジニル｝ベンゼンスルホンアミドまたはその医薬上許容される塩および医薬上許容される担体を含む医薬組成物。
【請求項３】
請求項１記載の２,４−ジフルオロ−Ｎ−｛２−(メチルオキシ)−５−[４−(４−ピリダジニル)−６−キノリニル]−３−ピリジニル｝ベンゼンスルホンアミドまたはその医薬上許容される塩を含む、ヒトにおいて１つ以上のホスファトイノシチド３−キナーゼ（ＰＩ３Ｋ）を阻害するための医薬組成物。
【請求項４】
請求項１記載の２,４−ジフルオロ−Ｎ−｛２−(メチルオキシ)−５−[４−(４−ピリダジニル)−６−キノリニル]−３−ピリジニル｝ベンゼンスルホンアミドまたはその医薬上許容される塩を含む、癌治療を必要とするヒトにおいて癌を治療するための医薬組成物。
【請求項５】
請求項１記載の２,４−ジフルオロ−Ｎ−｛２−(メチルオキシ)−５−[４−(４−ピリダジニル)−６−キノリニル]−３−ピリジニル｝ベンゼンスルホンアミドおよび／またはその医薬上許容される塩と、微小管阻害薬、白金配位錯体、アルキル化剤、抗生物質、トポイソメラーゼＩＩ阻害物質、代謝拮抗薬、トポイソメラーゼＩ阻害物質、ホルモンおよびホルモンアナログ、シグナル伝達経路阻害物質、非受容体チロシンキナーゼ血管新生抑制剤、免疫療法薬、アポトーシス促進剤および細胞周期シグナル阻害物質からなる群より選択される少なくとも１つの抗腫瘍薬とを組み合わせたことを特徴とする癌治療剤。
【請求項６】
癌が、脳腫瘍（神経膠腫）、神経膠芽腫、白血病、バンナヤン−ゾナナ症候群、カウデン病、レルミット−デュクロ病、乳癌、炎症性乳癌、ウィルムス腫瘍、ユーイング肉腫、横紋筋肉腫、上衣腫、骨芽細胞腫、結腸癌、頭頚部癌、腎臓癌、肺癌、肝臓癌、黒色腫、卵巣癌、膵臓癌、前立腺癌、肉腫、骨肉腫、骨巨細胞腫および甲状腺癌からなる群から選択される、請求項４記載の医薬組成物。
【請求項７】
癌が、卵巣癌、膵臓癌、乳癌、前立腺癌および白血病からなる群から選択される、請求項４記載の医薬組成物。
【請求項８】
ＰＩ３ＫがＰＩ３αである、請求項３記載の医薬組成物。
【請求項９】
ＰＩ３ＫがＰＩ３γである、請求項３記載の医薬組成物。
【請求項１０】
ＰＩ３ＫがＰＩ３δである、請求項３記載の医薬組成物。
【請求項１１】
２,４−ジフルオロ−Ｎ−｛２−(メチルオキシ)−５−[４−(４−ピリダジニル)−６−キノリニル]−３−ピリジニル｝ベンゼンスルホンアミドである、請求項１記載の化合物。
【請求項１２】
請求項１記載の２,４−ジフルオロ−Ｎ−｛２−(メチルオキシ)−５−[４−(４−ピリダジニル)−６−キノリニル]−３−ピリジニル｝ベンゼンスルホンアミドを含む、癌治療を必要とするヒトにおいて癌を治療するための医薬組成物。
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
i)      0.010〜0.025質量％なる範囲のSr、
ii)     ホウ素含有率で測定して、0.001〜0.005質量％のBなる範囲の量のTiB2、
iii)    TiB2においてBと化学量論的に結合した量を越えて、0.16％以下の過剰なTi、及び
iv) 1.2質量％までのSi、
を含むことを特徴とする、アルミニウム合金。
【請求項２】
主としてアルミニウムと銅とを含む合金；主としてアルミニウムとマンガンとを含む合金；主としてアルミニウムとマグネシウムとを含む合金；主としてアルミニウム、マグネシウム及びケイ素を含む合金；及び主としてアルミニウム、マグネシウム、亜鉛及び銅を含む合金からなる群から選択される、請求項1記載のアルミニウム合金。
【請求項３】
アルミニウム、マグネシウム及びケイ素を含む、請求項1〜2のいずれか1項に記載のアルミニウム合金。
【請求項４】
更に、0.010〜0.020質量％なる範囲のSr、及びホウ素含有率で測定して、0.002〜0.004質量％のBなる範囲の量のTiB2を含む、請求項３記載のアルミニウム合金。
【請求項５】
造形カスト用の合金である、請求項１〜４のいずれか1項に記載のアルミニウム合金。
【請求項６】
ダイカスト用の合金である、請求項１〜４のいずれか1項に記載のアルミニウム合金。
【請求項７】
前記合金が、半-固体カスト法を利用して製造された、合金鋳造品である、請求項１〜４のいずれか1項に記載のアルミニウム合金。
【請求項８】
質量％単位で表して、0.6〜0.8のSi、0.12までのFe、0.15〜0.40のCu、0.8〜1.2のMg、0.04〜0.10のCr、0.010〜0.025のSr、ホウ素含有率で測定して0.001〜0.005質量%のB、TiB2においてBと化学量論的に結合した量を越えて、0.16％以下の過剰なTi、各々0.05未満であり、全体として0.15未満の偶発的な不純物、及び残部のAlなる組成を持つ、請求項1又は2記載のアルミニウム合金。
【請求項９】
半-固体法によって鋳造するための、請求項８記載のアルミニウム合金。
【請求項１０】
質量％単位で表して、0.6〜0.8のSi、0.12までのFe、0.15〜0.40のCu、0.8〜1.2のMg、0.04〜0.10のCr、0.010〜0.025のSr、ホウ素含有率で測定して0.001 to 0.005質量%のB、TiB2においてBと化学量論的に結合した量を越えて、0.16％以下の過剰なTi、0.45質量％までのMn、但し全Mn+Feは0.55〜0.65質量%なる範囲にあり、各々0.05未満であり、全体として0.15未満の偶発的な不純物、及び残部のAlなる組成を持つ、請求項1記載のアルミニウム合金。
【請求項１１】
完全な溶融状態において加工するための、請求項1記載のアルミニウム合金。
【請求項１２】
液相線温度及び固相線温度を持つ、請求項1〜11のいずれか１項に記載のアルミニウム合金を加工する方法であって、
（１）該合金の液相線温度及び固相線温度の範囲内の半-固体を含む、合金を調製する工程、
（２）該合金を、該液相線温度以上の、高い合金の初期温度まで加熱して、該合金を十分に溶融する工程、
（３）該合金の温度を、該初期金属合金の高い温度から、該液相線温度未満であって、かつ該固相線温度を越える半-固体温度まで減じる工程、
（４）球状固体相が液相中に分散された状態にある該合金内に、半-固体構造を生成するのに十分な期間、該合金を該半-固体温度に維持する工程であって、該半-固体構造は、約50質量％未満の固相を含む工程、
（５）該金属合金の該半-固体構造中に存在する該液相の全てではなく少なくともその幾分かを除去して、該合金の、固体に富む半-固体構造を生成する工程であって、該除去工程は、該固体に富む半-固体構造が、約35〜約55質量％の固相を含むようになるまで、液相を除去する工程を含む工程、及び
（６）該固体に富む半-固体構造を持つ該合金を、所定形状に成形する工程、
を含むことを特徴とする、方法。
【請求項１３】
溶融状態にある前記合金を、該合金内に半-固体状態を生成するのに十分な期間、所定温度に維持できる、請求項12記載の方法。
【手続補正書】
【提出日】平成23年1月19日(2011.1.19)
【手続補正１】
【補正対象書類名】明細書
【補正対象項目名】００７０
【補正方法】変更
【補正の内容】
【００７０】
組成物Ｚ中に存在し得る更に別の物質Ｓは、
・着色剤、好ましい着色剤は有機及び無機染料及び顔料であり、好ましい有機顔料は、アゾもしくはジスアゾ顔料、レーキ化アゾもしくはジスアゾ顔料または多環式顔料、特に好ましくはフタロシアニン、ジケトピロロピロール、キナクリドン、ペリレン、ジオキサジン、アントラキノン、チオインディゴ、ジアリールもしくはキノフタロン顔料であり；  顔料着色に好ましく使用される無機顔料は、適当な金属酸化物、混合酸化物、硫酸アルミニウム類、クロメート類、金属粉末、真珠光沢顔料（マイカ）、発光着色剤、酸化チタン類、カドニウム鉛顔料、酸化鉄類、カーボンブラック、シリケート、チタン酸ニッケル類、コバルト顔料、または酸化クロム類であり；  ここでこれらの着色剤は、マスターバッチとしても使用できる；
・フィラー、好ましくはシリカ、ゼオライト、シリケート、特に好ましくはケイ酸アルミニウム類、ケイ酸ナトリウム、ケイ酸カルシウム類；  及びチョークまたはタルク；
助剤、好ましくは酸捕捉剤、潤滑剤、ステアレート、発泡剤、成核剤、過酸化物、または酸化物、例えば酸化マグネシウム；
・酸化防止剤、好ましくは一次もしくは二次酸化防止剤；
・帯電防止剤、好ましくはグリセロールステアレート類、グリセロールモノステアレート類、アルキルアミン類、脂肪酸混合物、アミン類、エトキシル化されたアミン類、アルキルスルホネート類、グリセロールエステル類、またはこれらの混合物（ブレンド）；
・ＵＶ吸収剤、スリップ剤、防曇剤、防縮合剤及び／または懸濁安定剤、難燃剤；
またはこれらの物質から組成される混合物、
である。
【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
少なくとも１種のブチルゴム、補強用充填剤および可塑剤系をベースとするゴム組成物を含み、該組成物がグラファイトも含み、さらに、前記可塑剤系が、ガラス転移温度Tgが20℃よりも高く且つ軟化点が170℃よりも低い炭化水素可塑化用樹脂を含むことを特徴とするタイヤ内部ライナー。
【請求項２】
前記ゴム組成物のエラストマーマトリックスが、主要量の１種のブチルゴムまたは主要量の数種のブチルゴムのブレンドを含む、請求項１記載の内部ライナー。
【請求項３】
前記炭化水素可塑化用樹脂が、＋30℃よりも高いTgを有する、請求項１または２記載の内部ライナー。
【請求項４】
前記炭化水素可塑化用樹脂含有量が、2〜35pheである、請求項１〜３のいずれか１項記載の内部ライナー。
【請求項５】
グラファイトライナーが、3〜50pheである、請求項１〜４のいずれか１項記載の内部ライナー。
【請求項６】
請求項１〜５のいずれか１項記載の内部ライナーを含タイヤ。